(57)【要約】【課題】開封した後の分割バンド部分を、切れる前の不正開封防止バンドが位置していた箇所に戻すことができないようにし、開封後にスパウトにキャップ本体を取り付けた場合でも、分割バンド部分の状態で開封済であることが目視にて簡単に判断できるようにする。【解決手段】不正開封防止バンド３を、この不正開封防止バンド３側から係止突起ｂのスパウト径方向外端面に当接して、不正開封防止バンド３をスパウトａの径方向外方に向けて付勢するバネ部材１５を有するものとした。【選択図】図４
2020079112.tif 000002
【特許請求の範囲】
【請求項１】
スパウト（ａ）に螺合して取り付けられるキャップ本体（２）と、このキャップ本体（２）の周壁（５）の下部に連結部（６）を介して位置している環状の不正開封防止バンド（３）とからなり、前記不正開封防止バンド（３）は、複数の分割バンド部分からなり隣り合う分割バンド部分同士が破断可能なブリッジ（９）を介して連続して環状に形成されているとともに、スパウト（ａ）の外方に向けて突設した係止突起（ｂ）に開栓方向（Ｘ）への回転時に係止して開栓方向（Ｘ）の回転を規制する係止爪（１０）が設けられていて、前記係止突起（ｂ）に前記係止爪（１０）が係止して開栓方向（Ｘ）の回転が規制されるときに前記ブリッジ（９）が破断するキャップ（１）において、
前記不正開封防止バンド（３）には、不正開封防止バンド（３）側から係止突起（ｂ）のスパウト径方向外端部に当接し、不正開封防止バンド（３）をスパウト（ａ）の径方向外方に向けて付勢するバネ部材（１５）が設けられていることを特徴とするキャップ。
【請求項２】
不正開封防止バンド（３）の上記分割バンド部分は、二本の長分割バンド（７）とバンド周方向の長さが長分割バンド（７）より短かい二本の短分割バンド（８）とされていて、不正開封防止バンド（３）は、上記ブリッジ（９）を介して長分割バンド（７）と短分割バンド（８）とをバンド周方向に交互に位置してなるものであって、
前記長分割バンド（７）の内側に設けた上記係止爪（１０）と前記短分割バンド（８）の内側に設けた係止爪（１０）とのバンド周方向での配置は、上記開栓方向（Ｘ）の回転で長分割バンド（７）の係止爪（１０）が係止突起（ｂ）に係止する位置になるときに、短分割バン（８）の係止爪（１０）が係止突起（ｂ）に非係止状態で近接する位置となる配置とされ、
開栓方向（Ｘ）の回転での長分割バンド（７）の係止爪（１０）と係止突起（ｂ）との係止により、長分割バンド（７）の開栓方向（Ｘ）の下流側端部（１１）とこの下流側端部（１１）に並ぶ短分割バンド（８）との間に位置するブリッジ（９）が破断し、
長分割バンド（７）の開栓方向（Ｘ）の下流側端部（１１）とこの下流側端部（１１）に並ぶ短分割バンド（８）との間に位置する前記ブリッジ（９）が破断した後に、短分割バンド（８）の係止爪（１０）と係止突起（ｂ）との係止により、前記短分割バンド（８）の開栓方向（Ｘ）の下流側端部（１３）とこの短分割バンド（８）の開栓方向（Ｘ）の下流側端部（１３）に並ぶ長分割バンド（７）との間に位置するブリッジ（９）が破断する構成とされている請求項１に記載のキャップ。
【請求項３】
上記長分割バンド（７）の開栓方向（Ｘ）の上流側端部（１２）は、この長分割バンド（７）のバンド下辺（１６）と上記バネ部材（１５）とからなり、バネ部材（１５）は、下端部が前記バンド下辺（１６）に連続しているとともに、上記スパウト（ａ）に当接可能な受け板（１８）を経て上記連結部（６）に連続しており、
長分割バンド（７）の開栓方向（Ｘ）の上流側に位置する前記バンド下辺（１６）とこのバンド下辺（１６）に並ぶ短分割バンド（８）とが上記ブリッジ（９）を介して連続している請求項２に記載のキャップ。
【発明の詳細な説明】
【技術分野】
【０００１】
本発明は容器の口部であるスパウトに螺合してスパウトを閉じるキャップ、特に不正開封防止バンドを備えるキャップに関するものである。
【背景技術】
【０００２】
従来からＰＥＴボトルに代表される飲料容器の口部には、いたずらなどによる不正開封を抑止するための機能を備えたキャップが取り付けられていて、口部の外ネジに螺合する内ネジを有するキャップ本体と、このキャップ本体の周壁の下部に環状の不正開封防止バンドとからなるものが多く利用されている。
【０００３】
不正開封防止バンドは、バンドの内側に、口部の外ネジ部分の下方となる部分に外方に向けて突設された係止突起に係止する複数の係止爪を備え、係止爪それぞれは開栓方向に向けて延びていて、バンド内面に伏す変形が可能とされている。飲料容器の口部に最初に取り付けるときのような閉栓方向の回転に際しては、キャップ本体とともに不正開封防止バンドが閉栓方向に回転し、前記係止爪が、口部側の係止突起を乗り越えるように移動し、係止突起に対して係止することがない。螺着したキャップを開栓方向に回転させるときには、キャップ本体とともに不正開封防止バンドが開栓方向に回転しかけるが、口部側の係止突起にバンド側の係止爪が係止して、不正開封防止バンド自体の開栓方向への回転が規制されるようにしている。
【０００４】
キャップ本体は開栓方向へ回転して上昇すると、開栓方向への回転が規制された不正開封防止バンドとキャップ本体との間を繋ぐ連結部分が分断され、口部側に不正開封防止バンドが残る仕組みとなっていた。
【０００５】
そして、再度キャップ本体を口部にネジ付けて戻したときには、キャップ本体と不正開封防止バンドとの間が開いて、開封済であることを目視にて確認できるようになる。また開封という操作を行なうことで、キャップ本体を口部に戻しても、キャップ本体と不正開封防止バンドとの間が開くようになることを知ることで、いたずらなどでの不正開封を抑止する効果を奏するものとなっている。
【０００６】
飲料やゼリー飲料などを収容する容器には、口径が小さく直接に口を当てて飲料やゼリー飲料を飲用できるようにしたスパウトを容器の口部として用いるものも多く流通している。この口部の口径が小さいスパウトに取り付けるキャップにも、上述した不正開封防止バンドを設けるタイプがあるが、開封した際にスパウト側に不正開封防止バンドが残ると、その不正開封防止バンドを誤飲する可能性がある。
【０００７】
特許文献１、２に示されているように不正開封防止バンドが予め分割された構成であって、隣り合う分割バンド部分が破断可能なブリッジを介して連続させている構造とし、開封操作時に前記ブリッジが破断されるとともに、分割バンド部分が連結部を介した状態で連続しているキャップ本体と共にスパウトから外れるようにした工夫が提案されている。
【先行技術文献】
【特許文献】
【０００８】
【特許文献１】特開２０１３−１０３７２１号公報
【特許文献２】特開２０１５−２１７９６６号公報
【発明の概要】
【発明が解決しようとする課題】
【０００９】
しかしながら、口径が小さいスパウトに用いる上記キャップでは、開封した後にキャップ本体を再びスパウトに取り付けて、分割バンド部分それぞれを開封前のキャップ本体の下部となる位置に戻してしまうと、キャップの形状が小さいことから、切れた不正開封防止バンドと未分断の不正開封防止バンド（即ち、開封前の不正開封防止バンドの状態）との形状の違いが目視では確認し難く、開封済の容器を未開封の容器と見誤ってしまう可能性がある。
【００１０】
そこで本発明は上記事情に鑑み、開封した後の分割バンド部分を、切れる前の不正開封防止バンドが位置していた箇所に戻すことができないようにすることを課題とし、開封後にスパウトにキャップ本体を取り付けた場合でも、分割バンド部分の状態で開封済であることが目視にて簡単に判断できるようにすることを目的とするものである。
【課題を解決するための手段】
【００１１】
（請求項１の発明）
本発明は上記課題を考慮してなされたもので、スパウト（ａ）に螺合して取り付けられるキャップ本体（２）と、このキャップ本体（２）の周壁（５）の下部に連結部（６）を介して位置している環状の不正開封防止バンド（３）とからなり、前記不正開封防止バンド（３）は、複数の分割バンド部分からなり隣り合う分割バンド部分同士が破断可能なブリッジ（９）を介して連続して環状に形成されているとともに、スパウト（ａ）の外方に向けて突設した係止突起（ｂ）に開栓方向（Ｘ）への回転時に係止して開栓方向（Ｘ）の回転を規制する係止爪（１０）が設けられていて、前記係止突起（ｂ）に前記係止爪（１０）が係止して開栓方向（Ｘ）の回転が規制されるときに前記ブリッジ（９）が破断するキャップ（１）において、
前記不正開封防止バンド（３）には、不正開封防止バンド（３）側から係止突起（ｂ）のスパウト径方向外端部に当接し、不正開封防止バンド（３）をスパウト（ａ）の径方向外方に向けて付勢するバネ部材（１５）が設けられていることを特徴とするキャップを提供して、上記課題を解消するものである。
【００１２】
（請求項２の発明）
そして本発明では、不正開封防止バンド（３）の上記分割バンド部分は、二本の長分割バンド（７）とバンド周方向の長さが長分割バンド（７）より短かい二本の短分割バンド（８）とされていて、不正開封防止バンド（３）は、上記ブリッジ（９）を介して長分割バンド（７）と短分割バンド（８）とをバンド周方向に交互に位置してなるものであって、
前記長分割バンド（７）の内側に設けた上記係止爪（１０）と前記短分割バンド（８）の内側に設けた係止爪（１０）とのバンド周方向での配置は、上記開栓方向（Ｘ）の回転で長分割バンド（７）の係止爪（１０）が係止突起（ｂ）に係止する位置になるときに、短分割バン（８）の係止爪（１０）が係止突起（ｂ）に非係止状態で近接する位置となる配置とされ、
開栓方向（Ｘ）の回転での長分割バンド（７）の係止爪（１０）と係止突起（ｂ）との係止により、長分割バンド（７）の開栓方向（Ｘ）の下流側端部（１１）とこの下流側端部（１１）に並ぶ短分割バンド（８）との間に位置するブリッジ（９）が破断し、
長分割バンド（７）の開栓方向（Ｘ）の下流側端部（１１）とこの下流側端部（１１）に並ぶ短分割バンド（８）との間に位置する前記ブリッジ（９）が破断した後に、短分割バンド（８）の係止爪（１０）と係止突起（ｂ）との係止により、前記短分割バンド（８）の開栓方向（Ｘ）の下流側端部（１３）とこの短分割バンド（８）の開栓方向（Ｘ）の下流側端部（１３）に並ぶ長分割バンド（７）との間に位置するブリッジ（９）が破断する構成とされていることが良好である。
【００１３】
（請求項３の発明）
また、本発明では、上記長分割バンド（７）の開栓方向（Ｘ）の上流側端部（１２）は、この長分割バンド（７）のバンド下辺（１６）と上記バネ部材（１５）とからなり、バネ部材（１５）は、下端部が前記バンド下辺（１６）に連続しているとともに、上記スパウト（ａ）に当接可能な受け板（１８）を経て上記連結部（６）に連続しており、
長分割バンド（７）の開栓方向（Ｘ）の上流側に位置する前記バンド下辺（１６）とこのバンド下辺（１６）に並ぶ短分割バンド（８）とが上記ブリッジ（９）を介して連続していることが良好である。
【発明の効果】
【００１４】
（請求項１の発明の効果）
請求項１の発明によれば、開封する際、キャップに対して開栓方向の回転を行なえば、不正開封防止バンドの分割バンド部分同士を連続させているブリッジが破断し、切れた不正開封防止バンドを有している状態のキャップを、再度スパウトでの元の位置に取り付けても、係止突起に当たるバネ部材の働きによって分割バンド部分がスパウトの径方向外方に向けて押し出されるようになる。即ち、キャップ本体の下部において不正開封防止バンドが一部分で拡径した如く外方に向けて張り出した状態となる。
【００１５】
さらにこの張り出た不正開封防止バンドの一部分をキャップ本体の周壁の下部位置に戻すためにスパウト側に押し付けても、係止突起に当たるバネ部材の働きにより、同様に分割バンド部分がスパウトの径方向外方に向けて押し戻されることになる。
【００１６】
そのため、一度開封した後には、キャップをスパウトに取り付けても、形状が変化してしまった不正開封防止バンドの部分が目立ち、開封済みであることが目視にて簡単に確認できるようになるという効果を奏する。
【００１７】
（請求項２の発明の効果）
請求項２の発明によれば、開栓方向の回転での長分割バンドの係止爪と係止突起との係止により、長分割バンドの開栓方向の下流側端部とこの下流側端部に並ぶ短分割バンドとの間に位置するブリッジが破断し、長分割バンドの開栓方向の下流側端部とこの下流側端部に並ぶ短分割バンドとの間に位置する前記ブリッジが破断した後に、短分割バンドの係止爪と係止突起との係止により、前記短分割バンドの開栓方向の下流側端部とこの下流側端部に並ぶ長分割バンドとの間に位置するブリッジが破断する構成としている。
【００１８】
このように、隣り合う分割バンド部分を繋ぐブリッジ全てを同時に破断するものではないので、開封時での開栓方向の回転を行なうに際し、初期に引っ張り力（不正開封防止バンドの周方向に沿う引っ張り力）が加わることになるブリッジからの抗力が小さくなるとともに、初期に引っ張り力が前記ブリッジに加わって切れた後に、つぎに引っ張り力が加わる未切断のブリッジからの抗力も小さくなり、ブリッジを切るためにキャップ本体に加える回転力を小さくすることができて、開封操作に大きな力を要することなく簡単に開封することができるという効果を奏する。
【００１９】
（請求項３の発明の効果）
請求項３の発明によれば、バネ部材にて外方に向けて付勢する力が加わる部分にブリッジが近接しているので、開封に際しての開栓方向の回転が行われるときに、前記ブリッジに不正開封防止バンドの周方向に沿う引っ張り力が加わるとともに、前記バネ部材の押し出し力による作用も加わって、ブリッジを簡単に破断することができるという効果を奏する。
【図面の簡単な説明】
【００２０】
【図１】本発明の実施の形態におけるキャップを斜め上方から見た状態で示す説明図である。
【図２】実施の形態を側方から見た状態で示す説明図である。
【図３】実施の形態を上方から見た状態で示す説明図である。
【図４】実施の形態を断面で示す説明図である。
【図５】実施の形態での不正開封防止バンドを下方から見た状態で示す説明図である。
【図６】キャップがスパウトに取り付けられた未開封の状態を断面で概略的に示す説明図である。
【図７】実施の形態での不正開封防止バンドを上方から見た状態で示す説明図である。
【図８】実施の形態での不正開封防止バンドを側方から見た状態で示す説明図である。
【図９】実施の形態でのキャップ本体を下方から見た状態で示す説明図である。
【図１０】実施の形態での不正開封防止バンドを斜視の状態で示す説明図である。
【図１１】実施の形態でのキャップ未開封時での不正開封防止バンドの係止爪とスパウトの係止突起とバネ部材との位置を平面で概略的に示す説明図である。
【図１２】実施の形態でのバネ部材を縦断面の形態で概略的に示す説明図である。
【図１３】実施の形態でのバネ部材を平面で概略的に示す説明図である。
【図１４】バネ部材に抗力未発生状態でのバンド径方向のバネ位置とスパウトの係止突起の位置とをキャップ本体をオーバーラップさせて概略的に示す説明図である。
【図１５】バネ部材により長分割バンドが外方に押し出された状態を平面で示す説明図である。
【発明を実施するための形態】
【００２１】
つぎに本発明を図１から図１５に示す実施の形態に基づいて詳細に説明する。図中１は容器の口部であるスパウトａに取り付けられるキャップで、該キャップ１はスパウトａにネジ付けて取り付けられるキャップ本体２と、キャップ本体２の下方に位置する環状の不正開封防止バンド３とからなるもので、キャップ本体２と不正開封防止バンド３とが一体になった状態で合成樹脂材により成形されている。図１参照
【００２２】
（キャップ本体）
キャップ本体２は、下面側でスパウトａの注出口部分を塞ぐことができるようにした天板４の周辺から下方に周壁５が延設されていて、周壁５で構成される筒状の部分は下方に向けてやや開いたテーパー状に設けられている。周壁５の内面側には、スパウトａの外ネジに螺合する内ネジを有している。さらに周壁５の下辺の断面形状はキャップ径方向外方に向けて張り出るように厚肉とされ、周壁５のほぼ上下方向に起立した側面から前記厚肉部分にかけて斜面を形成している。図４参照
【００２３】
上記天板４の下面にはインナーリング４ａが下垂する状態にして設けられている。このインナーリング４ａは、キャップ１をスパウトａに取り付けたときに、スパウトａの内側に入ってスパウト内面に摺接可能にして密に接するようになり、容器の収納物が漏れ出ないようにするものである。
【００２４】
図１と図２に示すように上記周壁５の外周側には、キャップの開け閉めに際してキャップを回す指先に滑りが生じないようにするために、指掛け用の複数本の突条５ａが一体に配置されている。図示されているように、指掛け用の突条５ａそれぞれは、キャップ本体の径方向外方に向けて凸となって周壁５の上部側から下部側にかけて直線状に形成されている。そしてこの実施形態の場合、前記突条５ａは径方向外方に向けての張り出し量が全て同一とされているものではなく、張り出し量が大となる突条５ａを四方に配置し、その張り出し量が大とした突条５ａの間に、張り出し量が中とされた二つの突条５ａが配置され、さらに張り出し量を中とした二つの突条５ａの間に、張り出し量が最小とされた突条５ａが配置されている。
【００２５】
（不正開封防止バンド）
不正開封防止バンド３は上述したようにキャップ本体２の周壁５の下部に位置しているが、周壁５の下辺全周に亘って一体となっているものではなく、以下に示す四カ所の連結部６を介して周壁５の下部に連続している。図７、図９、図１０参照
【００２６】
さらに不正開封防止バンド３は、スパウトａにキャップ１を螺合させて正規位置（スパウトａの注出口部分を閉じる位置）となったときに、スパウトａの高さ方向での上記外ネジの部分より下位の高さ位置で対応していて、スパウトａの周方向での等間隔の四カ所に外方に向けて突設した係止突起ｂが存在する部分に対応するように配置される。図６参照
【００２７】
（長分割バンド、短分割バンド）
不正開封防止バンド３は四本の分割バンド部分に区分されるように成形されていて、環状になるようにして四本の分割バンド部分が配置されている。四本の分割バンド部分は、二本の長分割バンド７とバンド周方向の長さが長分割バンド７より短かい二本の短分割バンド８とからなる。そして長分割バンド７と短分割バンド８とがバンド周方向に交互に位置している。長分割バンド７と短分割バンド８とは、長分割バンド７と短分割バンド８とのそれぞれの開栓方向の上流側端部１２、１４の部分で上記連結部６を介してキャップ本体２の周壁５の下部に連続している。図７、図１０参照
【００２８】
また、長分割バンド７と短分割バンド８とのそれぞれは、図４に示すようにバンド周壁３ａとこのバンド周壁３ａの上端から不正開封防止バンド３の中心側に向けて張り出るバンド天板３ｂとからなるもので、バンド周壁３ａとバンド天板３ｂとで縦断面形状を逆さの略Ｌ字状に設けられている。
【００２９】
（ブリッジ）
バンド周方向で隣り合う長分割バンド７と短分割バンド８とは、破断可能であって開封の際の開栓方向の回転操作が行なわれるときに破断するブリッジ９を介して分離可能に連結されており、この不正開封防止バンド３は、隣り合う長分割バンド７と短分割バンド８とを破断可能な前記ブリッジ９を介して連続させて環状に形成している。図７参照
【００３０】
（係止爪）
不正開封防止バンド３の内側には、図５と図６とに示すようにこの不正開封防止バンド３の内面に沿うようにするとともに開栓方向に向けて延設されている係止爪１０が設けられている。係止爪１０は後述するように長分割バンド７の内側と短分割バンド８の内側と位置していて、係止爪１０の基端部分が、長分割バンド７と短分割バンド８とのバンド周壁３ａに一体とされているとともに、係止爪１０の上端部分が、長分割バンド７と短分割バンド８とのバンド天板３ｂに一体とされている。
【００３１】
係止爪１０は、開封に際して開栓方向Ｘへの回転移動時に係止突起ｂに係止して、不正開封防止バンド３の開栓方向Ｘの回転を規制する働きをするものである。即ち、係止爪１０は不正開封防止バンド３が開栓方向Ｘの回転をしかけるときに係止突起ｂと係止するように設けられている。また係止爪１０自体は閉栓方向Ｙの回転移動をするときに係止突起ｂを乗り越えることができる可撓性を備えていて、スパウトに最初にキャップ１を取り付けるための閉栓方向Ｙの回転移動するときに、係止突起ｂをスムーズに乗り越えて移動して、ブリッジ９に切れを生じさせる引っ張り力が加わらないようにしている。
【００３２】
（係止爪の配置）
開封するためにキャップ１を開栓方向Ｘに回すことで四カ所の破断可能な上記ブリッジ９が破断するように設けられているが、本発明では、開封操作時に、四カ所のブリッジ９全てを同時には破断せず、不正開封防止バンド３の径方向に対向する一組のブリッジ９が、前記径方向と異なる径方向で対向するもう一組のブリッジ９より先に切れるように、即ち、破断タイミングを僅かながらズレるように設けられていて、キャップ本体２を開栓方向Ｘに回すときの回転力に大きな力を要しない。
【００３３】
係止爪１０は、図１１に示されているように長分割バンド７の内側と短分割バンド８の内側とのそれぞれに二つずつにして設けられている。破断タイミングがズレるようにするために、係止爪１０のバンド周方向での配置は、開封に際し、キャップ本体２が開栓方向Ｘに回される動きに伴なって不正開封防止バンド３も開栓方向Ｘに回転しかけて、長分割バンド７の開栓方向Ｘの下流側に設けられた係止爪１０が係止突起ｂに係止する位置になるときに、この長分割バンド７に対して開栓方向Ｘの下流側で隣り合う短分割バンド８であって、この短分割バンド８の開栓方向Ｘの下流側に設けられた係止爪１０が係止突起ｂに非係止状態で近接する位置となる配置としている。なお図１４において、非係止状態とするための配置状態をズレ量Ａで示した。
【００３４】
開封時、長分割バンド７の係止爪１０が係止する係止突起ｂは、図１１に示されているように前記長分割バンド７の二つの係止爪１０の内、開栓方向下流側の係止爪１０に対し、その開栓方向下流側に位置する係止突起ｂである。また短分割バンド８の係止爪１０が上述のように非当接で近接する係止突起ｂは、短分割バンド８の二つの係止爪１０の内、開栓方向下流側の係止爪１０に対し、その開栓方向下流側に位置する係止突起ｂである。
【００３５】
なお、長分割バンド７と短分割バンド８とのそれぞれに二つずつ係止爪１０が配置されているが、これは対応する係止突起ｂに近い位置にある係止爪１０が係止し損ねた場合に、係止し損ねた前記係止爪１０の開栓方向上流側の係止爪１０を係止突起ｂに係止させてブリッジの破断が行なわれるようにしているものであって、ブリッジの破断をより確実に行なうために二つずつにして係止爪１０が配置されている。
【００３６】
（先破断のブリッジ）
開封のために続けて開栓方向Ｘへキャップ本体２を回転させると、長分割バンド７の開栓方向Ｘの回転が上記係止爪１０と係止突起ｂとの係止によって規制されて停止するのに対して、長分割バンド７の開栓方向下流側端部１１に隣り合う短分割バンド８には、上記連結部６を介したキャップ本体２の動きに伴なって開栓方向Ｘに回転する力が加わってこの開栓方向Ｘに回転して前記長分割バンド７から離れる方向に移動することとなるので、長分割バンド７の開栓方向の下流側端部１１とこの下流側端部１１に並ぶ前記短分割バンド８の開栓方向の上流側端部１４との間に位置するブリッジ９に引っ張り力が加わり、このブリッジ９が先破断ブリッジとして先に破断する。
【００３７】
（後破断のブリッジ）
長分割バンド７の開栓方向Ｘの上記下流側端部１１と短分割バンド８の開栓方向Ｘの上記上流側端部１４との間の上記ブリッジ９（先破断ブリッジ）が先に破断すると、長分割バンド７の開栓方向Ｘの下流側端部１１は、短分割バンド８側からの拘束が無くなる。そのため、長分割バンド７の開栓方向の下流側端部１１側の係止爪１０と係止突起ｂとの係止状態は外れ易くなる。
【００３８】
上述のように長分割バンド７の開栓方向下流側端部１１と短分割バンド８の開栓方向上流側端部１４との間のブリッジ９が先に破断した後も、キャップ本体２の開栓方向Ｘへの回転が行われる。このとき、長分割バンド７の開栓方向の下流側端部１１の係止爪１０は係止突起ｂから外れる。さらにキャップ本体２の開栓方向Ｘへの回転に伴なって短分割バンド８が開栓方向Ｘに回転する。
【００３９】
開栓方向Ｘへの回転移動で、短分割バンド８の開栓方向Ｘの下流側の係止爪１０と、この係止爪１０に対して開栓方向下流側に位置する係止突起ｂとが係止する。この係止で短分割バンド８の開栓方向Ｘの回転移動が規制されて停止する一方、この短分割バンド８の開栓方向Ｘの下流側端部１３に隣り合う長分割バンド７は係止爪１０との係止関係が解かれているので、開栓方向Ｘへ回転するキャップ本体２に伴なって開栓方向Ｘへ回転するように移動させる力が、前記キャップ本体２側から加わる。
【００４０】
なお、上述の説明では、上記短分割バンド８に対して開栓方向Ｘの上流側に位置する長分割バンド７の係止爪１０が係止突起ｂから外れるとしたが、不正開封防止バンド３では、長分割バンド７と短分割バンド８とがバンド周方向に交互に配置されているので、短分割バンド８に対して開栓方向Ｘの下流側に位置する長分割バンド７も同様の状態であり、この開栓方向Ｘの下流側に位置する長分割バンド７の係止爪１０も係止突起ｂから外れる。
【００４１】
上述したように上記短分割バンド８の開栓方向Ｘへの回転移動が停止するとともに、その短分割バンド８の開栓方向Ｘの下流側の長分割バンド７が開栓方向Ｘへ回転しかけると、短分割バンド８の開栓方向Ｘの下流側端部１３とこの短分割バンド８の開栓方向Ｘの下流側端部１３に隣り合う長分割バンド７の開栓方向Ｘの上流側端部１２との間のブリッジ９に引っ張り力が加わり、そのブリッジ９が後破断ブリッジとして破断する。
【００４２】
このようにブリッジ９全てを同時に破断するものではなく、不正開封防止バンド３での径方向に対向する一組のブリッジ９が先破断ブリッジとして先に破断し、前記径方向とは異なる径方向に対向するもう一組のブリッジ９が後破断ブリッジとして前記先破断ブリッジの破断後に遅れて破断するようにしていて、破断タイミングがずれるように設けられている。
【００４３】
そして開封に際して、開栓方向Ｘの回転を行なうと、不正開封防止バンド３の周方向に沿う引っ張り力が先に加わることになる先破断のブリッジ９からの抗力が、四カ所のブリッジの同時破断の場合に比べて小さくなるとともに、先破断のブリッジ９が切れた後に、つぎに引っ張り力が加わることになる後破断のブリッジ９（未切断のブリッジ）からの抗力も四カ所同時破断の場合に比べて小さくなり、ブリッジ９を切るためにキャップ本体２に加える回転力を小さくすることができて、開封操作に大きな力を要することなく簡単に開封することができる。
【００４４】
なお、先破断ブリッジが切れるときと後破断ブリッジが切れるときの破断タイミングのズレ時間は極めて短時間になるように設けられており、スムーズな開封操作が損なわれないように図られている。
【００４５】
（バネ部材）
本発明のキャップ１では、不正開封防止バンド３が破断して開封されていることが、スパウトａに取り付けられている状態のときに容易に目視確認できるようにした工夫を備えている。その工夫は、不正開封防止バンド３に、該不正開封防止バンド３側から上記係止突起ｂのスパウト径方向の外端部ｃに掛かる状態で当接し、不正開封防止バンド３をスパウトａの径方向外方に向けて付勢するバネ部材１５を設けることで構成されている。図１２、図１３参照
【００４６】
まず、長分割バンド７それぞれの開栓方向Ｘの上流側端部１２は、バンド周壁３ａの上辺側から切り欠いた形状にしてなるバンド下辺１６と上記バネ部材１５とからなるものである。そして前記バンド下辺１６とこのバンド下辺１６に隣り合う短分割バンド８の開栓方向Ｘの下流側端部１３とが、後破断ブリッジであるブリッジ９を介して連続している。
【００４７】
また長分割バンド７の開栓方向Ｘの上流側端部１２は上記連結部６と対応するものであって、上記バンド下辺１６がこの連結部６と対応位置している。そしてバンド下辺１６と連結部６との間にバネ部材１５が位置するように設けられている。
【００４８】
バネ部材１５は、該バネ部材１５の下端部分がバンド下辺１６と一体となって連続しながら立ち上がるとともにスパウトａ側（不正開封防止バンドの中心側）に傾斜する斜め支柱１７と、この斜め支柱１７の上端部分に連続していてスパウトａ側（不正開封防止バンドの中心側）に臨む平面を備えた板状の受け板１８とからなるものである。そして、バネ部材１５の受け板１８の上端部分が、上記連結部６に連続している。
【００４９】
（バネ部材の斜め支柱）
バネ部材１５の斜め支柱１７は、不正開封防止バンド３の径方向外方（スパウト径方向外方）に向けて撓み変形可能な支柱である。そしてバンド下辺１６に並ぶ後破断のブリッジ９が破断していない状態であって、上記受け板１８に対して不正開封防止バンド３の径方向外方に向けて押し出す力が加えられた状態のときに、この斜め支柱１７が撓むようになり、この撓みを元に戻そうとする復元力にて、バンド下辺１６の部分、即ち、長分割バンド７の開栓方向Ｘの上流側端部１２を、不正開封防止バンド３の径方向外方に向けて付勢する付勢力を生じさせるようにしている。
【００５０】
（バネ部材の受け板）
バネ部材１５の受け板１８は、上述したようにその上端部分が連結部６に連続している。そして上記斜め支柱が１７が撓み変形する状態のときにも、受け板１８の上端部分は連結部６に連続し、上記後破断のブリッジ９が破断している状態のときにも連結部６に連続する。
【００５１】
受け板１８自体はバンド周壁３ａの位置より不正開封防止バンド３の中心側に偏倚している。また、キャップ１をスパウトａに取り付けて未開封の状態での不正開封防止バンド３の径方向上の位置関係において、前記受け板１８のスパウトａ側に臨む平面１９とスパウトａの係止突起ｂ以外の外周面ｄとは接合せずに離間する配置となる。図１４参照
【００５２】
同様にキャップ１をスパウトａに取り付けて未開封の状態での不正開封防止バンド３の径方向上の位置関係において、受け板１８のスパウトａ側に臨む平面１９の位置は、係止突起ｂのスパウト径方向外端部ｃの位置より不正開封防止バンド３の中心側（スパウトａの中心側）となるように設けられている。
【００５３】
そして、キャップ１をスパウトａに取り付けて未開封の状態であって、キャップ１がスパウトａに対して適正な閉止位置にあるときには、上記バネ部材１５が係止突起ｂの外側に位置するように設定されている。
【００５４】
また受け板１８は、上述したようにバンド周壁３ａの位置より不正開封防止バンド３の中心側に偏倚していて、係止突起ｂが位置するスパウトａの断面形状に不正開封防止バンド３をオーバーラップさせた状態を示している図１４で示されているように、受け板１８の平面１９の位置が前記係止突起ｂの領域に入り込むようにこの受け板１８が形成されている。
【００５５】
そのため、未開封の状態であってバネ部材１５が係止突起ｂの外側にあるときには、受け板１８の平面１９と係止突起ｂのスパウト径方向外端部ｃとが対応して受け板１８が係止突起ｂの前記スパウト径方向外端部ｃに当接して、この係止突起ｂにより受け板１８がスパウト径方向外方に向けて押し出されている。図６参照
【００５６】
係止突起ｂによって受け板１８がスパウト径方向外方に向けて押し出されることで上記斜め支柱１７が撓み変形する。そして撓み変形に対する抗力としての復元力が生じて、その復元力によってバネ部材１５はバンド下辺１６を不正開封防止バンド３の径方向外方に向けて押し出すように付勢する。そのため、バネ部材１５によって、後破断のブリッジ９が破断しない状態において長分割バンド７の開栓方向Ｘの上流側端部１２に、この上流側端部１２を不正開封防止バンド３の径方向外方に向けて付勢する付勢力が常時加わるようにしている。
【００５７】
受け板１８は図１３に示されているようにバンド周方向に対向する端部それぞれがＲ付けされて断面円弧の表面形状を呈するように設けられていて、キャップ１の開け閉めに際して、不正開封防止バンド３が開栓方向Ｘや閉栓方向Ｙに移動するときに、受け板１８が係止突起ｂにスパウト外周面方向から係止しないようにしていて、係止突起ｂを乗り越えたりその係止突起ｂのスパウト径方向外端面に適正に位置することができるように図られている。
【００５８】
実施の形態においては、未開封の状態を含めてキャップ本体２がスパウトａを適正に閉栓する角度位置にしたときには、スパウト周方向での位置関係において係止突起ｂとバネ部材１５とが対応し、係止突起ｂとバネ部材１５とがスパウト径方向に並ぶように設定されている。図６参照
【００５９】
なお、受け板１８自体は、キャップ１の初期の取り付けに際して不正開封防止バンド３が閉栓方向Ｙに回転するときに係止突起ｂとの係止が生じない形状であればよく、上述した形状に限定されない。
【００６０】
（バネ部材による分割バンドの押し出し）
未開封のキャップ１を開栓方向Ｘに回転させることで、上述したように先分断のブリッジ９が破断するとともに、その先破断のブリッジ９が破断してから後破断のブリッジ９が破断する。後破断のブリッジ９が破断してから再度キャップ本体２をスパウトａに取り付けて正しくスパウトａを閉じるようにネジ付けると、上述したようにスパウトａ側の係止突起ｂと四つに切れた不正開封防止バンド３の内の上記長分割バンド７の開栓方向Ｘの上流側端部１２とが対応位置する。
【００６１】
そして長分割バンド７の開栓方向Ｘの上流側端部１２の上記バネ部材１５の受け板１８が係止突起ｂのスパウト径方向外端部ｃに対応して、バネ部材１５はその係止突起ｂによってスパウト径方向外方に向けて押し出される。即ち、バネ部材１５は長分割バンド７の一部分であり、キャップ本体２に連続しているバネ部材１５の受け板１８がバンド周壁３ａより中心側に位置し、斜め支柱１７が撓むことなく傾斜した直線状となっているので、長分割バンド７が不正開封防止バンド３の径方向外方（スパウト径方向外方）に向けて張り出る状態となる。図１５参照
【００６２】
一旦開封した後にキャップ１をスパウトａに取り付けても、上述したように長分割バンド７が外方に張り出る状態となるため、開封済みであることが目視にて簡単に確認できる。
【００６３】
また張り出た長分割バンド７を押し込んだとしても、係止突起ｂに重なっているバネ部材１５側からの復元力の作用によって長分割バンド７が押し出されてしまい、未破断の不正開封防止バンド３の状態に復元させることが不可能となる。よって開封済みであることが判断し易い形態を保つことができるものとなる。
【００６４】
（縦ブリッジ）
上述したようにキャップ本体２と不正開封防止バンド３とは上記連結部６を介して連続している。そして合成樹脂材料を用いて成形されたキャップ１ではキャップ本体２と不正開封防止バンド３との間には隙間が存在している。本実施の形態のキャップ１において、上記長分割バンド７は、開栓方向Ｘの上流側端部１２の上記バネ部材１５の部分で連結部６を介してキャップ本体２に連続しているが、下流側端部１１に隣り合う短分割バンド８に至るまでの部分の距離が長くなっている。
【００６５】
このように長分割バンド７自体の長さ（バンド周方向での長さ）が長く、バネ部材１５側の連結部６のみでキャップ本体２と連続している場合、成形された後のキャップ１がスパウトａに取り付けられるまでの期間中、他物との接触などの外部からの力を受けて、長分割バンド７が単独で移動してこの長分割バンド７とキャップ本体２との間が適正間隔より広く開いて垂れるような状態になったり逆に長分割バンド７がキャップ本体２の周壁５に接触したりする可能性がある。そして、キャップ１をスパウトａに機械取付するときに前述のように長分割バンド７の部分が不適切に位置ズレしている場合、キャップ自体の取り付けが不良となる不具合が発生し易くなる。
【００６６】
そこで本実施の形態では、長分割バンド７のバンド天板３ｂの部分であって長分割バンド７の周方向での略中央部分とキャップ本体２の周壁５の下部との間に破断可能な縦ブリッジ２０が設けられており、この縦ブリッジ２０を介して長分割バンド７の周方向の略中央部分とキャップ本体２とが連続している。
【００６７】
そして上記縦ブリッジ２０は、開封に際してキャップ１を開栓方向Ｘに回転させる操作を行なったとき、上記先破断のブリッジ９の破断と同時に破断するように設けられているものである。
【００６８】
なお、上述したキャップ１については、係止突起ｂがスパウト周方向に等間隔にして四つ配置されたスパウトａに取り付けられる例を挙げて説明しているが、本発明のキャップは、係止突起ｂをスパウト周方向に等間隔にして四つ配したスパウトａに取り付けるものに限定されない。
【符号の説明】
【００６９】
１…キャップ
２…キャップ本体
３…不正開封防止バンド
６…連結部
７…長分割バンド
８…短分割バンド
９…ブリッジ
１０…係止爪
１１…長分割バンドの開栓方向の下流側端部
１２…長分割バンドの開栓方向の上流側端部
１３…短分割バンドの開栓方向の下流側端部
１４…短分割バンドの開栓方向の上流側端部
１５…バネ部材
１６…バンド下辺
１７…斜め支柱
１８…受け板
２０…縦ブリッジ
Ｘ…開栓方向
Ｙ…閉栓方向
ａ…スパウト
ｂ…係止突起
ｃ…係止突起のスパウト径方向外端部
ｄ…スパウトの係止突起以外の外周面
【図１】
2020079112.tif 000003
【図２】
2020079112.tif 000004
【図３】
2020079112.tif 000005
【図４】
2020079112.tif 000006
【図５】
2020079112.tif 000007
【図６】
2020079112.tif 000008
【図７】
2020079112.tif 000009
【図８】
2020079112.tif 000010
【図９】
2020079112.tif 000011
【図１０】
2020079112.tif 000012
【図１１】
2020079112.tif 000013
【図１２】
2020079112.tif 000014
【図１３】
2020079112.tif 000015
【図１４】
2020079112.tif 000016
【図１５】
2020079112.tif 000017